(57)【要約】【課題】  比較的大きな陳列面積を設けて構成されても、商品陳列台全体の高さ方向寸法厚みを減少させて、陳列に用いられる空間を拡大出来ると共に、所望の高輝度を、発熱が少なく得られる外部電極発光体を用いた発光商品陳列台及び該発光商品陳列棚を用いたショーケースを提供する。【解決手段】  半透明のアクリル面材１８によって構成される商品陳列面部１８ａの裏面にバックライト２１を設けてなる発光商品陳列台１１である。  バックライト２１は、長尺状の管体本体２０ａの外側面部に、各々外部電極２３，２３が設けられた外部電極蛍光ランプ２０…を複数本、所定間隔で配列して、各隣接配置される外部電極２３，２３間を、被覆リード線２５，２５で接続することにより面状に発光する面状発光部が構成されている。【選択図】図１
2006167054.tif 000002
【特許請求の範囲】
【請求項１】
半透明の商品陳列面部の裏面にバックライトを設けてなる発光商品陳列台であって、
前記バックライトは、長尺状の管体本体の外側面部に、各々外部電極が設けられた外部電極発光体を複数本、所定間隔で配列して、前記各外部電極間を、被覆リード線で接続することにより面状に発光する面状発光部を構成することを特徴とする外部電極発光体を用いた発光商品陳列台。
【請求項２】
前記各外部電極間を接続する被覆リード線が、防滴ソケットを介して装脱着可能に設けられていることを特徴とする請求項１記載の外部電極発光体を用いた発光商品陳列台。
【請求項３】
前記外部電極発光体は、少なくとも何れか一方の端部に設けられた外部電極に電圧を印可することにより発光するＥＥＦＬ駆動方式の外部電極蛍光ランプにより構成されて、前記管体本体を一定間隔で、複数本並列して、面状発光部を構成すると共に、前記各端部間を前記被覆リード線で連結して、単一のインバータ装置で、並列駆動することを特徴とする請求項１又は２記載の外部電極発光体を用いた発光商品陳列台。
【請求項４】
前記外部電極発光体を用いたバックライトを設けた発光商品陳列台を少なくとも底面部に設け、該発光商品陳列台の周囲を、少なくとも一側壁面部によって囲む棚部が設けられていることを特長とする請求項１乃至３のうち、何れか一項記載の商品陳列台を用いたショーケース。
【発明の詳細な説明】
【技術分野】
【０００１】
本発明は、外部電極発光体を用いて、商品が並べられる半透明の棚を裏面側から照光することにより、所望の明るさを得ることが出来る外部電極発光体を用いた発光商品陳列台及び該発光商品陳列棚を用いたショーケースを提供するものである。
【背景技術】
【０００２】
従来の商品陳列棚１に用いられる照明としては、例えば、図９，図１０に示すように複数の棚部３…毎に、各々１本づつ蛍光ランプ４ａ…が設けられているものが知られている（例えば、特許文献１等参照）。
【０００３】
このようなものでは、商品陳列棚１の棚本体１ａでは、鉛直方向に向けて立設された支柱２，２に、透明のアクリル板材３ａ…が各々設けられた棚部３…が、水平方向に沿って延設されて、固定されている。
【０００４】
これらの棚部３，３は、上下方向に一定間隔で離し置きされて、前端縁には、前記蛍光ランプ４ａを１本づつ収納した照明装置４が設けられている。
【０００５】
この照明装置４は、図１０に示すように、乳白色の透光性ケース４ｂ内に、左，右一対の照明体支持具４ｃ，４ｃに両端部近傍を支持された蛍光ランプ４ａが収納されて主に構成されている。
【０００６】
次に、前記従来の商品陳列台１の作用について説明する。
【０００７】
従来の商品陳列台１では、前記蛍光ランプ４ａを点灯すると、直接或いは、前記透光性ケース等の内側面で反射された照光によって、前記棚部３の上に載置された商品が照明される。
【特許文献１】特開２００２−１５３３６０号公報（段落００１６乃至００６６、図１、図１０）
【発明の開示】
【発明が解決しようとする課題】
【０００８】
しかしながら、このような従来の蛍光ランプ４ａ…を用いた照明装置４では、輝度を向上させるため、多数の蛍光ランプ４ａを各棚部３内部に、一定間隔で複数本並設しようとすると、蛍光ランプ４ａ…の発熱量が多く、棚部３上面に載置された商品の周囲の温度が上昇してしまうといった問題があった。
【０００９】
また、図１０中に示すように、所定の管径ｄ１（約２０ｍｍ〜４０ｍｍ）を有する蛍光ランプ４ａ…を棚部３内に一定の間隔で並設すると、棚部全体の高さも増大して、商品陳列スペースを減少させてしまうといった問題があった。
【００１０】
更に、冷凍や冷蔵ショーケース等の照明装置では、結露等によって湿潤環境下に配置されることとなるため、防滴構造を採用しなければならず、製造コストが上昇してしまうといった問題もあった。
【００１１】
そこで、この発明は、比較的大きな陳列面積を設けて構成されても、商品陳列台全体の高さ方向寸法厚みを減少させて、商品陳列に用いられる空間を拡大出来ると共に、所望の
高輝度を、発熱が少なく得られる外部電極発光体を用いた発光商品陳列台及び該発光商品陳列棚を用いたショーケースを提供することを課題としている。
【課題を解決するための手段】
【００１２】
上記目的を達成するために、請求項１に記載された発明は、半透明の商品陳列面部の裏面にバックライトを設けてなる発光商品陳列台であって、前記バックライトは、長尺状の管体本体の外側面部に、各々外部電極が設けられた外部電極発光体を複数本、所定間隔で配列して、前記各外部電極間を、被覆リード線で接続することにより面状に発光する面状発光部を構成する外部電極発光体を用いた発光商品陳列台を特徴としている。
【００１３】
また、請求項２に記載されたものは、前記各外部電極間を接続する被覆リード線が、防滴ソケットを介して装脱着可能に設けられている請求項１記載の外部電極発光体を用いた発光商品陳列台を特徴としている。
【００１４】
そして、請求項３に記載されたものは、前記外部電極発光体は、少なくとも何れか一方の端部に設けられた外部電極に電圧を印可することにより発光するＥＥＦＬ駆動方式の外部電極蛍光ランプにより構成されて、前記管体本体を一定間隔で、複数本並列して、面状発光部を構成すると共に、前記各端部間を前記被覆リード線で連結して、単一のインバータ装置で、並列駆動する請求項１又は２記載の外部電極発光体を用いた発光商品陳列台を特徴としている。
【００１５】
また、請求項４に記載されたものは、前記外部電極発光体を用いたバックライトを設けた発光商品陳列台を少なくとも底面部に設け、該発光商品陳列台の周囲を、少なくとも一側壁面部によって囲む棚部が設けられている請求項１乃至３のうち、何れか一項記載の商品陳列台を用いたショーケースを特長としている。
【発明の効果】
【００１６】
このように構成された本願発明の請求項１記載のものは、前記バックライトの面状発光部が、前記各外部電極発光体を点灯させることにより、面状に発光される。
【００１７】
該外部電極発光体は、従来の蛍光管に比して、発熱量が少ないので、陳列される商品の周囲の雰囲気温度を上昇させる虞がない。
【００１８】
このため、別途、冷却構造や冷却装置を設ける必要がないので、製造コストの上昇を抑制出来ると共に、周囲の雰囲気温度の影響を受けやすい商品の陳列に用いて好適である。
【００１９】
また、該外部電極発光体は、長尺状の管体本体の外側面部に、外部電極が設けられているので、管径を、内部に電極を有する従来の蛍光管に比して、細く設定出来る。
【００２０】
このため、例えば、商品陳列棚本体の内部に複数本の外部電極発光体を並設して、所望の輝度を確保しても、該商品陳列棚本体の高さ方向の厚みの増大が抑制されて、商品陳列スペースを増大させることができる。
【００２１】
また、請求項２に記載されたものは、前記隣接配置される各外部電極発光体の各外部電極間が、被覆リード線によって、前記防滴ソケットを介して、装脱着可能となるように接続される。
【００２２】
このため、被覆リード線の長さを変更することによって、容易に各外部電極間の設定間隔が変更可能であると共に、該被覆リード線及び防滴ソケットによって、所望の防滴性能が得られるため、結露等によって湿潤環境下に配置されても、別途防滴構造を採用する必
要が無くなり、製造コストの上昇が抑制される。
【００２３】
そして、請求項３に記載されたものは、単一のインバータ装置で、複数本の外部電極発光体を並列駆動できるので、該インバータ装置の設置スペースを減少させることが出来ると共に、面状発光部の輝度を更に均一化することができる。
【００２４】
また、請求項４に記載されたものは、前記発光商品陳列台の周囲が、少なくとも一側壁面部によって囲まれていても、外部電極発光体が、発熱しないため、発光商品陳列台の半透明の商品陳列面部に直接載置された陳列商品や、或いは、該陳列商品の周囲の雰囲気温度が上昇することがない。
【００２５】
このため、所望の輝度によって商品を所望の角度から照明出来る。
【発明を実施するための最良の形態】
【００２６】
次に、図面に基づいて、この発明を実施するための最良の実施の形態の外部電極発光体を用いた商品陳列台について説明する。
【００２７】
図１乃至図８は、この発明の実施の形態の外部電極発光体を用いた商品陳列台を示すものである。
【００２８】
まず、構成から説明すると、この発明の実施の形態の外部電極発光体を用いたショーケース１０は、図８に示すように、最も下方に位置する基台１０ａとしての発光商品陳列台１１の左，右両側面から立設される左，右両側壁面部材１０ｂ，１０ｂ間に、前記外部電極発光体を用いたバックライトを設けた複数の発光商品陳列台１１，１１…が、上，下方向で、所定間隔を置いて固定されている。
【００２９】
この発光商品陳列台１１は、図１乃至図４に示すように、略コ字状の断面形状を有して、水平方向に延設される背面側ハウジング部材１２の内側に、電源１４と、電源コード１３を介して接続されて、外部電極発光体としての外部電極蛍光ランプ２０，２０に電力を供給することにより点灯させるインバータ装置１５が固定されている。
【００３０】
この発光商品陳列台１１には、左，右両側に設けられた左，右ハウジング部材１７，１７間に、ビス１６が用いられて固定される乳白色の半透明の商品陳列面部１８ａを有するアクリル面材１８が装着されて、前記外部電極蛍光ランプ２０，２０が覆われるように構成されている。
【００３１】
このアクリル面材１８は、商品を載置可能な平面状の商品陳列面部１８ａとこの商品陳列面部１８ａから一体に延設されて、所定の曲率で湾曲形成された前端曲面部１８ｂとを有している。
【００３２】
また、前記外部電極蛍光ランプ２０…は、図２に示すように、この発光商品陳列台１１内に、８本、一定の間隔をおいて並行に配設されている。そして、これらの複数本の外部電極発光体としての外部電極蛍光ランプ２０…の両端部に設けられた各外部電極２３，２３間が、隣接配置される各外部電極蛍光ランプ２０，２０に着脱可能に装着される防滴ソケット３０，３０を介して被覆リード線２５，１２５で、前記インバータ装置１５に接続されることにより面状に発光する面状発光部としてのバックライト２１が構成されるようにしている。
【００３３】
そして、前記バックライト２１によって、このアクリル面材１８が、背面側から照光されることにより、商品陳列台１１の外部からは、このアクリル面材１８が、面状に発光し
ているかのように視認される構成としている。
【００３４】
また、この実施の形態の外部電極蛍光ランプ２０，２０間の間隔は、前記アクリル面材１８への照光が、外部電極蛍光ランプ２０，２０間に位置する部分において暗くならないように、両側の外部電極蛍光ランプ２０，２０からの照光及び各部からの反射光が重複して、外部電極蛍光ランプ２０の正面に位置する部分と略同一照度となるように、調整されることにより、照明ムラが発生しないように設定されていて、平面視で、正方形形状に略均等に照光が行き渡り、前記アクリル面材１８を、略均一の照度で面状に発光させるバックライト２１が構成されている。
【００３５】
これらの外部電極蛍光ランプ２０の長尺状の管体本体２０ａの外側面部には、左，右両端部の外部に位置して、各々外部電極２３，２３が設けられている。
【００３６】
この実施の形態の外部電極蛍光ランプ２０は、少なくとも何れか一方の端部の外側面部に設けられたこの外部電極２３に、電圧が印可されることにより、前記管体本体２０ａの中空部内部に封止された放電ガスを、電磁場を発生させてプラズマとすることにより、発光するＥＥＦＬ駆動方式が採用されている。
【００３７】
このＥＥＦＬ駆動方式では、管体本体２０ａの中空部内部に電極が無いため、比較的、耐久性が良好（ＣＣＦＬ駆動方式が、約４０,０００時間に対し、ＥＥＦＬ駆動方式が、
約６０,０００〜８０,０００時間）で、長期間用いられる商品陳列台１１の外部電極蛍光ランプ２０の交換に伴うメンテナンス頻度を減少させることができる。
【００３８】
また、この実施の形態に用いられる外部電極蛍光ランプ２０の管径ｄ２は、約２．６ｍｍφで、通常の蛍光ランプの管径ｄ１（約２０ｍｍ〜４０ｍｍφ）に比して、小径である。
【００３９】
そして、これらの外部電極２３には、前記各外部電極２３，２３間を接続する被覆リード線２５が、防滴ソケット３０を介して、各々装脱着可能に接続されている。この実施の形態では、前記被覆リード線２５に代えて、この被覆リード線２５（全長約５ｃｍ）よりも長尺状の被覆リード線（全長約１５ｃｍ）も用意されている。
【００４０】
次に、防滴ソケット３０の構成について、図５乃至図７を用いて詳述する。
【００４１】
この実施の形態の防滴ソケット３０には、樹脂製のソケット本体３１が、設けられている。このソケット本体３１は、軸方向に沿って中心軸近傍に穿設された端子保持空間部３１ａを有することにより、両端部に開口形成されたランプ側開口部３１ｂと、リード線側開口部３１ｃとの間が連通された略円筒形形状に形成されている。
【００４２】
このソケット本体３１の長手方向中央部の外周面には、周状に係止凹溝部３１ｄが凹設形成されている。
【００４３】
そして、この端子保持空間部３１ａ内に、金属製の端子３３が挿入された状態で、前記リード線側開口部３１ｃに嵌着される略小判形状を呈する抜け止め部材３２によって抜け止めされて、保持されるように構成されている。
【００４４】
この端子３３には、長板状の基部３３ｅに、前記ランプ側開口部３１ｂから挿入された前記外部電極蛍光ランプ２０の外部電極２３を、両側から挟持して電気的に導通させる電極接触片３３ａ，３３ａが左，右一対一体となるように設けられている。
【００４５】
また、この端子３３の基部３３ｅには、前記リード線側開口部３１ｃ近傍に位置して、ソケット本体３１と、前記ランプ側開口部３１ｂとの間に挟持されて固定される立壁部３３ｂが、一体に設けられている。
【００４６】
この立壁部３３ｂには、前記被覆リード線２５，１２５の端部から露出する金属ワイヤ状の導線２５ａ，１２５ａが挿通される導線用開口部３３ｃが開口形成されている。
【００４７】
そして、この導線用開口部３３ｃの上縁部から、抑え片３３ｄが、下方に向けて一体となるように延設されている。この押え片３３ｄは、弾性変形によって、導線２５ａが挿入される方向に向けて、この抑え片３３ｄの下端縁が揺動することより、前記導線用開口部３３ｃの下縁との間に、前記導線２５ａが、挾まれて係止されるように構成されている。
【００４８】
また、前記抜け止め部材３２には、前記被覆リード線２５が挿通される丸孔３２ａ，３２ａが、前記導線用開口部３３ｃの下縁と、抑え片３３ｄの下端縁との間に対応して、左，右一対形成されている。
【００４９】
そして、これらの防滴ソケット３０には、前記ランプ側開口部３１ｂ側及び、前記リード線側開口部３１ｃ側から、ソケット本体３１を被覆する略直方形筒状のランプ側シリコンカバー部材３４及びリード線側シリコンカバー部材３５が、各々外嵌されている。
【００５０】
このうち、図５に示すように、ランプ側シリコンカバ−部材３４には、大筒部３４ａが設けられていて、この大筒部３４ａの一端部開口周縁には、前記係止凹溝部３１ｄに係止される係止フランジ部３４ｂが、内側に向けて一定の幅で、一体に突設形成されている。
【００５１】
このランプ側シリコンカバー部材３４の他端部には、前記外部電極蛍光ランプ２０の管体本体２０ａ外周面に内周面を圧着させてシールを行う筒状のランプ挿入穴部３４ｃが形成されていて、前記他端部から一定高さｈ１筒状部分が突設されることにより、シール代が大きくなるように構成されている。
【００５２】
また、前記リード線側シリコンカバー部材３５には、前記左，右ハウジング部材１７の発光体装着面１７ａに安定して添着可能なように略平坦な底面を有する大筒部３５ａが設けられている。
【００５３】
そして、この大筒部３５ａの一端部開口周縁には、前記係止凹溝部３１ｄに係止される係止フランジ部３５ｂが、内側に向けて一定の幅で、一体に突設形成されている。
【００５４】
このリード線側シリコンカバー部材３５の他端部には、前記被覆リード線２５，２５が各々挿通されると共に、被覆部分の外周面に内周面を圧着させてシールを行う一対のリード線挿通穴部３５ｃ，３５ｃが形成されている。
【００５５】
このリード線挿通穴部３５ｃ，３５ｃは、前記他端部から一定高さｈ２、突設されることにより、各被覆リード線２５，２５の被覆部分との間のシール代が大きくなるように構成されている。
【００５６】
そして、これらの外部電極蛍光ランプ２０…の各端部に嵌着された前記防滴ソケット３０は、隣接配置される外部電極蛍光ランプ２０の防滴ソケット３０と、被覆リード線２５…を介して連結接続されて、図２に示すように図中右の一列に接続された各防滴ソケット３０…の内部の図示省略の前記各端子３３…が、被覆リード線１２５を介して、前記インバータ装置１５に接続されている。
【００５７】
このインバータ装置１５は、前記電源コード１３を介してＡＣアダプタ電源１４と接続されていて、コンセント４５から供給される１００Ｖ交流電流を前記ＡＣアダプタ１４によって、２４Ｖ直流電流に減圧後、入力して、約８０ｋＨｚ以下の矩形波として、前記上，下各列の各端子３３，３３に、嵌着される各外部電極蛍光ランプ２０…を並列駆動させるように供給する構成としている。
【００５８】
次に、この実施の形態の外部電極蛍光ランプ２０を用いた商品陳列台の作用について説明する。
【００５９】
この実施の形態では、図５に示すように、予め前記端子３３をソケット本体３１の端子保持空間部３１ａ内に挿入して、前記抜け止め部材３２によって固定し、前記ランプ側開口部３１ｂ側及び、前記リード線側開口部３１ｃ側から、前記ランプ側シリコンカバー部材３４及びリード線側シリコンカバー部材３５を、各々ソケット本体３１を被覆するように外嵌して、防滴ソケット３０が組み立てられる。例えば、図５中、紙面右側に位置する防滴ソケット３０が、複数個用意される。
【００６０】
次に、前記外部電極蛍光ランプ２０の前記各外部電極２３，２３を、前記ランプ側シリコンカバー部材３４のランプ挿入穴部３４ｃを介して、前記ランプ側開口部３１ｂから、端子保持空間部３１ａ内に挿入されて、ソケット本体３１内部に位置させて、この防滴ソケット３０，３０を外部電極蛍光ランプ２０に装着する。
【００６１】
そして、前記左，右のハウジング部材１７の発光体装着面１７ａに、前記各々前記防滴ソケット３０，３０を一定間隔を置いて添着させる。
【００６２】
前記筒状のランプ挿入穴部３４ｃは、前記外部電極蛍光ランプ２０の管体本体２０ａ外周面に内周面を圧着させてシールが行われれている。このため、ランプ開口部３１ｂ側から雨水等の水分が、この端子保持空間部３１ａ内に侵入する虞がない。
【００６３】
また、前記全長の短い被覆リード線２５，２５若しくは、全長の長い被覆リード線１２５，１２５が、適宜、前記防滴ソケット３０の前記端子３３に接続される。
【００６４】
すなわち、例えば、図５中に示すように、各被覆リード線２５，２５の端部から露出した導線２５ａ，２５ａを、前記リード線側シリコンカバー部材３５の端部に突設形成されたリード線挿通穴部３５ｃ，３５ｃから各々挿入して、図６に示すように、前記抑え片３３ｄの下端縁と前記導線用開口部３３ｃの下縁との間に介装させる。
【００６５】
前記抑え片３３ｄは、弾性変形により揺動すると共に、前記導線用開口部３３ｃの下縁との間に、前記導線２５ａを、挾み込んで、この導線２５ａ，２５ａが容易に抜け出ないように係止する。
【００６６】
このように、前記バックライト２１が、外部電極蛍光ランプ２０…を複数本、所定間隔で配列して、これらの外部電極蛍光ランプ２０…の長尺状の管体本体２０ａ…の外側面部に各々設けられた外部電極２３，２３間が、被覆リード線２５で接続されることにより、ＥＥＦＬ駆動方式の各外部電極蛍光ランプ２０…が並列的に接続されることとなり、前記ＡＣアダプタ４３からの電力の供給が行われると、１つのインバータ装置１５で、ちらつきの殆ど無い各外部電極蛍光ランプ２０…の面状発光体が得られる。
そして、被覆リード線２５又は１２５によって、各外部電極蛍光ランプ２０，２０間の間隔が、適正間隔に調整出来るので、照明ムラの発生が抑制された所望の照光量で、前記アクリル面材１８を背面から照光して面状に発光させるバックライト２１を得ることが出来る。
【００６７】
このため、図１に示すように、例えば、外部電極蛍光ランプ２０等…の管径の細い発光体を使用することにより、発光商品陳列台１１のアクリル面材１８の商品陳列面部１８ａの面積を比較的大きく設定しつつ、発光商品陳列台１１の筐体の厚みＨを低く抑えて、薄板化することができる。
【００６８】
従って、この実施の形態のショーケース１０では、図８に示すように、複数の発光商品陳列台１１，１１…が、上，下方向で、所定間隔を置いて固定されている場合でも、上，下の発光商品陳列台１１，１１間の商品が、陳列される空間１０ｃ，１０ｃを各々拡大可能で、比較的高い寸法の商品も陳列出来る。
【００６９】
また、被覆リード線２５は、前記防滴ソケット３０内に、通電される導線２５ａ部分が、挿通されて、前記リード線側シリコンカバー部材３５のリード線挿通穴部３５ｃ，３５ｃによって、被覆部分からシールされて、前記各外部電極２３，２３間が接続されているので、例えば、冷凍ケースや冷蔵ケース等の湿潤環境の屋内等に設置される発光商品陳列台１１のバックライト２１として、外部電極２３，２３を有する外部電極蛍光ランプ２０を用いても、防滴性能を良好なものとすることができる。
【００７０】
更に、前記各外部電極２３，２３間が、この外部電極２３の周囲を覆うように嵌着される防滴ソケット３０を介して、装脱着可能な被覆リード線２５によって接続されている。
【００７１】
この実施の形態では、図６に示すように、前記ランプ側シリコンカバー部材３４の他端部に設けられた筒状のランプ挿入穴部３４ｃが、大きなシール代となるように、前記他端部から一定高さｈ１筒状部分が突設されて、前記外部電極蛍光ランプ２０の管体本体２０ａ外周面に内周面が圧着されることにより、確実なシールが行われる。
【００７２】
このため、外部電極２３部分が露出することなく、外部電極２３部分での防滴性能を更に、向上させて、屋内の湿潤環境下において用いて好適な発光商品陳列台１１が提供される。
【００７３】
そして、複数本のＥＥＦＬ駆動方式の外部電極蛍光ランプ２０…を、単一のインバータ装置１５で、並列駆動することが出来る。
【００７４】
このため、冷陰極管（ＣＣＦＬ）のように、複数本の点灯を行わせるために、複数のインバータ装置を、各々の従来から用いられている蛍光灯や、冷陰極管等に設置したり、専用の回路を必要とするものに比して、インバータ装置の数量を減らして、製造コストを削減することができる。
【００７５】
しかも、前記外部電極蛍光ランプ２０の管体本体２０ａは、管径ｄ２が比較的小さく（約２．６ｍｍ〜５ｍｍφ、通常の蛍光ランプの管径ｄ１は、約２０ｍｍ〜４０ｍｍφ）、該管体本体が一定間隔で、複数本並列された面状発光部によって、前記アクリル面材１８の背面に備えられてなるバックライト２１が構成されても、商品陳列台１１の厚み方向寸法Ｈの増大を抑制することができる。
【００７６】
そして、ＥＥＦＬ駆動方式の外部電極蛍光ランプ２０は、管径が細くなる程、輝度が向上して（約１万カンデラ）、演色性（Ra）も８０と高く、前記乳白色のアクリル面材１８のバックライト２１として用いる際に、商品陳列面部１８ａを鮮やかな発色とすることができる。
【００７７】
更に、前記ＥＥＦＬ駆動方式の外部電極蛍光ランプ２０は、従来の蛍光管に比して、発
熱量が少ないので、陳列される商品の周囲の雰囲気温度を上昇させる虞がない。
【００７８】
このため、別途、冷却構造や冷却装置を設ける必要がないので、製造コストの上昇を抑制出来ると共に、周囲の雰囲気温度の影響を受けやすい商品の陳列に用いて好適である。
【００７９】
また、隣接配置される前記外部電極蛍光ランプ２０，２０各外部電極２３，２３間が、被覆リード線２５，１２５によって、前記防滴ソケット３０，３０を介して、装脱着可能となるように接続される。
【００８０】
このため、被覆リード線２５，１２５の長さを変更することによって、容易に各外部電極２３，２３間の設定間隔が変更可能であると共に、被覆リード線２５，１２５及び防滴ソケット３０によって、所望の防滴性能が得られるため、結露等によって湿潤環境下に配置されても、別途防滴構造を採用する必要が無くなり、製造コストの上昇が抑制される。
【００８１】
しかも、この実施の形態では、これらの外部電極蛍光ランプ２０…から前記商品陳列面部１８ａまでの間隔を大きく設定する必要が無い。この点においても、外部電極蛍光ランプ２０を用いた商品陳列台１１の筐体の高さ方向寸法Ｈを低く抑えることが出来ると共に、発熱による陳列された商品への影響を考慮して配置や冷却方向を工夫する必要が無くなり、内部のスペース効率を更に、向上させることが出来る。
【００８２】
また、被覆リード線２５，１２５は、長さを容易に変更可能である。しかも、この実施の形態では、前記防滴ソケット３０，３０を、前記左，右ハウジング部材１７，１７の発光体装着面１７ａ，１７ａに添着するだけで容易に、各管体本体２０ａ，２０ａ間の間隔が調整されて、照明ムラの少ない高輝度で、大面積の商品陳列台１１を得ることが出来る。
【００８３】
また、商品陳列台１１や、ショーケース１０等の大きさや形状に応じて、被覆リード線２５，１２５の長さを変更するだけで、略施工が完了し、商品陳列台の造形の自由度を向上させることができる。
【００８４】
更に、この実施の形態では、前記被覆リード線２５の導線２５ａ部分を、前記リード線側シリコンカバー部材３５の端部に突設形成されたリード線挿通穴部３５ｃ，３５ｃから挿入するだけで、図６に示すように、前記抑え片３３ｄの下端縁と前記導線用開口部３３ｃの下縁との間に、この導線２５ａ部分が介装されて係止されることにより抜け止めされる。
【００８５】
従って、外部電極蛍光ランプ２０…の配列装着作業を容易に行うことができる。
【００８６】
このように、隣接配置される各外部電極２３，２３間の寸法に応じた長さの被覆リード線２５又は、１２５を容易に装脱着できるので、例えば、蛍光灯の個別インバータ装置間を長い電線で接続し、余剰電線を束ねる際に発生する電流の漏れを考慮しなけれならない必要もない。
【００８７】
しかも、この実施の形態のショーケース１０では、前記発光商品陳列台１１の周囲が、左，右側壁面部１０ｂ，１０ｂ等によって囲まれていても、外部電極蛍光ランプ２０…が、発熱しないため、各発光商品陳列台１１の半透明の商品陳列面部１８ａに直接載置された陳列商品や、或いは、この陳列商品の周囲の雰囲気温度が上昇することがない。
【００８８】
このため、下方から商品を照明する等、所望の輝度によって商品を所望の角度から照明出来る。
【００８９】
以上、図面を参照して、本発明の実施の形態を詳述してきたが、具体的な構成は、この実施の形態に限らず、本発明の要旨を逸脱しない程度の設計的変更は、本発明に含まれる。
【００９０】
即ち、前記実施の形態では、薄板箱状の発光商品陳列台１１に、複数本の外部電極発光体としての外部電極蛍光ランプ２０…が、合計８本配列されるものを示して説明してきたが、特にこれに限らず、正面視長方形、円形、楕円形等の異形のアクリル面材１８等によって表示面が形成されるもの等であっても、前記外部電極蛍光ランプ２０…が所定の間隔で、複数本並列されることにより、照明ムラが抑制されるバックライト２１が構成されていれば、商品陳列台の形状、材質及び数量が特に限定されるものではない。
【００９１】
また、この実施の形態では、商品を主に載置する底面を構成する発光商品陳列台１１に、前記外部電極蛍光ランプ２０によって構成されるバックライト２１を適用したものを示して説明してきたが、特にこれに限らず、例えば、下側に向けて照光する天板や、或いは左，右側板等、半透明の商品陳列面部の裏面にバックライトを設けてなるもので有れば、どのような向きに配置されるものであってもよい。
【図面の簡単な説明】
【００９２】
【図１】この発明の最良の実施の形態の外部電極発光体を用いた商品陳列台で、全体の構成を説明する商品陳列台の斜視図である。
【図２】実施の形態の外部電極発光体を用いた商品陳列台で、アクリル面材を一部切り欠いた内部の構成を説明する平面図である。
【図３】実施の形態の外部電極発光体を用いた商品陳列台で、図１，２中Ａ−Ａ線に沿った一での断面図である。
【図４】実施の形態の外部電極発光体を用いた商品陳列台で、図３中Ｂ部の拡大断面図である。
【図５】実施の形態の外部電極発光体を用いた商品陳列台に用いる防滴ソケットの構成を説明する分解斜視図である。
【図６】実施の形態の外部電極発光体を用いた商品陳列台に用いる防滴ソケットで、図５中Ｃ−Ｃ線に沿った部分での断面図である。
【図７】実施の形態の外部電極発光体を用いた商品陳列台に用いる防滴ソケットの構成を説明し、リード線側シリコンカバー部材を外した正面図である。
【図８】実施の形態の外部電極発光体を用いた発光商品陳列棚を複数装着したショーケースの全体の構成を説明する斜視図である。
【図９】従来例の商品陳列棚の斜視図である。
【図１０】従来例の商品陳列棚で、図９中Ｄ−Ｄ線に沿った位置での断面図である。
【符号の説明】
【００９３】
１０          ショーケース
１１          発光商品陳列台
１５          インバータ装置
１８          アクリル面材
１８ａ        商品陳列面部
２０          外部電極蛍光ランプ（外部電極発光体）
２０ａ        管体本体
２１          バックライト（面状発光部）
２３，２３    外部電極
２５，１２５  被覆リード線
３０          防滴ソケット
３１          ソケット本体
３３，３３    端子
３４          ランプ側シリコンカバー部材
３５          リード線側シリコンカバー部材
【図１】
2006167054.tif 000003
【図２】
2006167054.tif 000004
【図３】
2006167054.tif 000005
【図４】
2006167054.tif 000006
【図５】
2006167054.tif 000007
【図６】
2006167054.tif 000008
【図７】
2006167054.tif 000009
【図８】
2006167054.tif 000010
【図９】
2006167054.tif 000011
【図１０】
2006167054.tif 000012